【手続補正書】
【提出日】平成18年3月13日(2006.3.13)
【手続補正１】
【補正対象書類名】明細書
【補正対象項目名】特許請求の範囲
【補正方法】変更
【補正の内容】
【特許請求の範囲】
【請求項１】  複数の第１伝送パスと、
複数の第２伝送パスと、
前記第１伝送パスの各々および前記第２伝送パスの各々に動作的に結合したスイッチング配置であって、前記第１伝送パスの各々１つを前記第２伝送パスの各々１つにそれぞれ結合させる前記スイッチング配置を経由して、複数のスイッチングパスを選択的に確立するように動作可能であり、複数の異なる伝送プロトコルのうち選択された１つに従った伝送をそれぞれ容易にするスイッチング配置とを備え、
前記各第１伝送パスは、前記スイッチング配置によって、前記伝送プロトコルのいずれか１つに従った前記第２伝送パスのいずれか１つに選択的に結合可能であり、
前記スイッチング配置が、前記各プロトコルにそれぞれ対応した複数のセクションと、前記セクションの各々１つを経由してそれぞれ経路選択される前記スイッチングパスとを含み、
前記セクションと前記第２伝送パスとの間に結合されたマルチプレクサ回路要素を含み、
第１の前記セクションは第１のパススイッチング回路を含み、
第２の前記セクションは、直列に結合した第２のパススイッチング回路、セルスイッチング回路および第３のパススイッチング回路を含み、
前記パススイッチング回路は、直列に結合したタイムスロット交換回路およびパス選択回路をそれぞれ含む装置。
【請求項２】  前記第１セクションは同期転送モード（ＳＴＭ）プロトコルを実施し、前記第２セクションは非同期転送モード（ＡＴＭ）プロトコルを実施する請求項１記載の装置。
【請求項３】  複数の第１伝送パスと、
複数の第２伝送パスと、
前記第１伝送パスの各々および前記第２伝送パスの各々に動作的に結合したスイッチング配置であって、前記第１伝送パスの各々１つを前記第２伝送パスの各々１つにそれぞれ結合させる前記スイッチング配置を経由して、複数のスイッチングパスを選択的に確立するように動作可能であり、複数の異なる伝送プロトコルのうち選択された１つに従った伝送をそれぞれ容易にするスイッチング配置とを備え、
前記各第１伝送パスは、前記スイッチング配置によって、前記伝送プロトコルのいずれか１つに従った前記第２伝送パスのいずれか１つに選択的に結合可能であり、
前記スイッチング配置が、前記各プロトコルにそれぞれ対応した複数のセクションと、前記セクションの各々１つを経由してそれぞれ経路選択される前記スイッチングパスとを含み、
前記セクションと前記第２伝送パスとの間に結合されたマルチプレクサ回路要素を含み、
前記各セクションは、アラーム表示信号を前記スイッチングパスの少なくとも１つに送信可能なスケルチ回路を含む、装置。
【請求項４】  複数の第１伝送パスと、
複数の第２伝送パスと、
前記第１伝送パスの各々および前記第２伝送パスの各々に動作的に結合したスイッチング配置であって、前記第１伝送パスの各々１つを前記第２伝送パスの各々１つにそれぞれ結合させる前記スイッチング配置を経由して、複数のスイッチングパスを選択的に確立するように動作可能であり、複数の異なる伝送プロトコルのうち選択された１つに従った伝送をそれぞれ容易にするスイッチング配置とを備え、
前記各第１伝送パスは、前記スイッチング配置によって、前記伝送プロトコルのいずれか１つに従った前記第２伝送パスのいずれか１つに選択的に結合可能であり、
前記スイッチング配置が、前記各プロトコルにそれぞれ対応した複数のセクションと、前記セクションの各々１つを経由してそれぞれ経路選択される前記スイッチングパスとを含み、
前記セクションと前記第２伝送パスとの間に結合されたマルチプレクサ回路要素を含み、
前記第１伝送パスと前記セクションとの間に結合された第１保護スイッチング回路要素を含み、前記セクションと前記第２伝送パスとの間に結合された第２保護スイッチング回路要素を含む、装置。
【請求項５】  前記プロトコルは、同期転送モード（ＳＴＭ）プロトコルと、非同期転送モード（ＡＴＭ）プロトコルとを含み、
第１の前記セクションは前記同期転送モードプロトコルを実施し、第２の前記セクションは前記非同期転送モードプロトコルを実施する、
請求項４記載の装置。
【請求項６】  第１の前記セクションは第１のパススイッチング回路を含み、第２の前記セクションは、直列に結合した第２のパススイッチング回路、セルスイッチング回路および第３のパススイッチング回路を含む、
請求項４記載の装置。
【請求項７】  前記第２保護スイッチング回路要素は、前記各セクションと前記マルチプレクサ回路要素との間に結合された各スイッチング回路を含む、
請求項４記載の装置。
【請求項８】  前記第２保護スイッチング回路要素は、前記マルチプレクサ回路要素と前記第２伝送パスとの間に結合されたスイッチング回路を含む、
請求項４の装置。
【請求項９】  前記セクションは、アラーム表示信号を前記スイッチングパスの少なくとも１つに送信可能なスケルチ回路をそれぞれ含み、前記第１保護スイッチング回路要素は、アラーム表示信号を前記スイッチングパスの少なくとも１つに送信可能なスケルチ回路を含む、
請求項４の装置。
【請求項１０】  双方向ラインスイッチリング（ＢＬＳＲ）保護技術を実施するように、前記第１保護スイッチング回路要素および前記第２保護スイッチング回路要素を制御可能な制御回路を含む、
請求項４記載の装置。
【請求項１１】  単方向パススイッチリング（ＵＰＳＲ）保護技術を実施するように、前記第１保護スイッチング回路要素および前記第２保護スイッチング回路要素を制御可能な制御回路を含む、
請求項４記載の装置。
【請求項１２】  ワンプラスワンライン保護技術を実施するように、前記第１保護スイッチング回路要素および前記第２保護スイッチング回路要素を制御可能な制御回路を含む、
請求項４記載の装置。
【請求項１３】  スイッチング配置、第１保護スイッチング回路要素及び第２スイッチング回路要素を用いて、複数の第１伝送パスからの情報を複数の第２伝送パスに向けて経路選択する方法であって、
前記第１保護スイッチング回路要素、前記スイッチング配置及び前記第２保護スイッチング回路要素を通してそれぞれ範囲を拡げ、前記第１伝送パスの各々１つを前記第２伝送パスの各々１つにそれぞれ結合する複数のスイッチングパスを選択的に確立するステップと、
複数の異なる伝送プロトコルのうち選択された１つに従って、前記各スイッチングパスを経由して伝送を遂行するステップであって、前記第１伝送パスの各々は、前記伝送プロトコルのいずれか１つに従った前記第２伝送パスのいずれか１つに選択的に結合可能であるステップと、
を備える方法。
【請求項１４】  スイッチング配置を用いて、複数の第１伝送パスからの情報を複数の第２伝送パスに向けて経路選択する方法であって、
前記スイッチング配置を通して、前記第１伝送パスの各々１つを前記第２伝送パスの各々１つにそれぞれ結合する複数のスイッチングパスを選択的に確立するステップと、
複数の異なる伝送プロトコルのうち選択された１つに従って、前記各スイッチングパスを経由して伝送を遂行するステップであって、前記第１伝送パスの各々は、前記伝送プロトコルのいずれか１つに従った前記第２伝送パスのいずれか１つに選択的に結合可能であり、
前記第１伝送パスは各入口ケーブルに対応したグループに構成され、前記第２伝送パスは各出口ケーブルに対応したグループに構成され、前記選択的に確立するステップは、
前記各入口ケーブルでの伝送パスを、異なる前記入口ケーブルでの伝送パスに対してスイッチするステップと、
次に、前記スイッチングパスの第１部分集合を、第１の前記プロトコルを実施する第１スイッチングセクションを経由して経路選択するステップであって、前記第１セクションにおいて前記第１部分集合のスイッチングパス間でスイッチすることを含むステップと、
前記スイッチングパスの異なる部分集合を、第２の前記プロトコルを実施する第２スイッチングセクションを経由して経路選択するステップであって、前記第２部分集合のスイッチングパス間でスイッチし、次に、前記第２部分集合の前記スイッチングパス上の情報のセルをスイッチし、次に、前記第２部分集合の前記スイッチングパス間でスイッチすることを含むステップと、
次に、前記第１および第２のセクションからの前記スイッチングパスを前記各出口ケーブルに対してスイッチングするステップとを含む、方法。
【請求項１５】  複数の異なる伝送プロトコルのうち選択された１つに従って伝送を遂行する前記ステップは、前記プロトコルの１つとして同期転送モード（ＳＴＭ）プロトコルを使用し、前記プロトコルのもう１つとして非同期転送モード（ＡＴＭ）プロトコルを使用することによって実行する、
請求項１４記載の方法。
【請求項１６】  前記スイッチング配置は、前記プロトコルの各々１つに従って伝送をそれぞれ遂行する第１および第２のセクションを含み、
前記選択的に確立するステップは、前記第１伝送パスの各々からの情報を前記第１および第２のセクションの各々１つを経由して経路選択するステップを含む、
請求項１４記載の方法。